(57)【要約】【課題】従来のスクリーン装置は、据え置き型のスクリーンを想定しているために手軽に持ち運びができずモバイル性の面で劣っていた。また、非稼動時の装置に対してゴミ及び大気中の埃の付着を防止する手段が設けられていない。その上、設置場所に多大なスペースを有してしまった。また、スクリーン正面部に設けた素材自体が高価となり装置全体のコストが上がってしまい可搬性を考慮したものではなかった。【解決手段】本発明は、開閉式のカバー部が設けられて、非稼動時や可搬時にゴミ、大気中の埃及び水滴等から保護し、且つ他との衝突や落下による破損から装置内に巻回されるスクリーンを保護し、スピーカ部と一体的に設けられた装置構成により、手軽に運べる可搬性に優れた音声出力部付き投影スクリーン装置である。【選択図】      図１
2006135527.tif 000002
【特許請求の範囲】
【請求項１】
投影スクリーンの上端部に収納部を配置する第１の設定態様及び前記投影スクリーンの下端部に収納部を配置する第２の設定態様を有する投影スクリーン装置において、
前記収納部に巻回収納可能な投影スクリーン部と、
前記収納部の両端部近傍に設置された左右一対の音声出力部と、
前記音声出力部の左右チャンネルを切り換える切り換え部と、
を具備し、
前記切り換え部は、前記第１及び第２の設定態様に対応して制御することを特徴とする音声出力部付き投影スクリーン装置。
【請求項２】
前記切り換え部は、前記第１及び第２の設定態様を判定する判定手段を具備し、前記判定手段の判定結果に応じて動作することを特徴とする請求項１に記載の音声出力部付き投影スクリーン装置。
【請求項３】
前記収納部は、前記投影スクリーンを収納する際にスリット状開口部を覆う可動のカバー部材を具備し、
前記切り換え部は、前記カバー部材の状態を検知して前記第１及び第２の設定態様のいずれかであるかを判定することを特徴とする請求項２に記載の音声出力部付き投影スクリーン装置。
【請求項４】
投影された画像を表示するためのスクリーンを、スリットを通過させて出し入れ可能に巻回収納する収納部と、
前記収納部の長手方向の両端に設けられ、ステレオ音声を出力する音声出力部と、
前記音声出力部から出力されるステレオ音声を左右逆出力するための切り換え機構を有する音声切り換え部と、
外部から音声信号を入力するための音声入力部と、
前記収納部及び前記スリットを密閉するように覆う開閉可能なカバー部と、
を具備することを特徴とする音声出力部付き投影スクリーン装置。
【請求項５】
さらに、前記収納部に設けられ、可搬時に片掛け用に用いられ、且つ前記スクリーンを吊り下げた状態で前記収納部を掛止するためのベルト部を具備することを特徴とする請求項４に記載の音声出力部付き投影スクリーン装置。
【請求項６】
前記カバー部は、前記収納部と対向する面に該収納部内部への塵埃の侵入を防止するためのシール部材を具備することを特徴とする請求項４に記載の音声出力部付き投影スクリーン装置。
【請求項７】
前記シール部材は、Ｏリングであることを特徴とする請求項６に記載の音声出力部付き投影スクリーン装置。
【請求項８】
前記音声切り換え部は、前記第１及び第２の設定機構を検知し、検知結果により音声出力を行うことを特徴とする請求項４に記載の音声出力部付き投影スクリーン装置。  
【請求項９】
前記音声切り換え部は、前記カバー部の開閉状態により音声切り換えを行うスイッチ部を具備することを特徴とする請求項４に記載の音声出力部付き投影スクリーン装置。
【請求項１０】
画像表示を行い巻回収納可能で２本の柱部が両端に設けられたスクリーンと、
外部音声入力部を有し、外部から入力されたステレオ音声の内の一方のチャンネルの音声出力を行う第１の音声出力部と、
前記第１の音声出力部に入力された前記ステレオ音声の内の他方の音声出力を行う第２の音声出力部と、
前記第１音声出力部と前記第２の音声出力部とを脱着可能に結合し、且つ電気的に接続して音声信号を伝搬する機能を有する支持部材と、
前記第１音声出力部及び前記第２の音声出力部に設けられ、前記スクリーンの両端に設けられた前記柱部をそれぞれ嵌合して該スクリーンを固定するための嵌め込み部と、
前記第１及び第２の音声出力部に設けられて可搬時、又は前記スクリーンの吊り下げ時に掛止するためのベルト部と、
を具備し、
稼動時には前記スクリーンに設けられた前記柱部を前記嵌め込み部に嵌合して画像表示を行い、可搬時には第１及び第２の音声出力部を互いに嵌合させて持ち運ぶことを特徴とする音声出力部付き投影スクリーン装置。
【発明の詳細な説明】
【技術分野】
【０００１】
本発明は、フロントプロジェクタから投影した画像を受け、映像に音声を伴い観賞できるようにするための音声出力機能を有する投影スクリーン装置に関する。
【背景技術】
【０００２】
近年、フロントプロジェクタは、ビジネスから家庭まで映像を楽しめる観賞用機器として普及しており、例えば、ビジネスではプレゼンテーションのために、家庭では映画等の観賞のためにと汎用的に利用されている。このプロジェクタは、汎用性と共に、家庭やビジネスにおいても手軽に使用できるように機器の小型化及び可搬性が要求されている。
【０００３】
さらに、このようなプロジェクタにあわせて、より可搬性の高い投影スクリーンが要求されている。利用時には画像を投影するためにスクリーンを広げ持ち運び、また収納の際は、スクリーンを巻回する形式のモバイルスクリーンが普及している。
【０００４】
例えば特許文献１に開示されている映像用スクリーン装置は、図１２に示すように、画像投影を行うスクリーン１０１と、音声出力のためのスピーカボックス１０２、スクリーン１０１及びスピーカ１０２を収納する台兼収納箱１０３、映写用のシート１０７及びアーム１０９により構成されている。  
映像用スクリーン装置は、非使用時には映写用のシート１０７の裏に設けられたアーム１０９を図示しない１個の駆動モータを駆動して起立及び倒伏してスクリーン１０１及びスピーカ１０２を台兼収納箱１０３に収納している。
【０００５】
また、特許文献２に開示されているリアプロジェクタは、図１３に示すように、スクリーン本体１４０内の不透明樹脂層１４３上に音波を通すサウンドホール１４５及び複数配列される光学ビーズ１４２を設けている。
【０００６】
リアプロジェクタはスクリーン１４０上に設けられた光拡散粒子である光学ビーズ１４２の間に音波の通路となるサウンドホール１４５を設けて別途スピーカ部を設けなくても良い構成とすることでスピーカの配置自由度が増し装置全体の小型化を促進している。
【特許文献１】特開平０９−３２９８４４号公報
【特許文献２】特開２００１−１３３８８８公報
【発明の開示】
【発明が解決しようとする課題】
【０００７】
前述した特許文献１に開示された映像用スクリーン装置は、スクリーン１０１上でスピーカ１０２がスクリーン１０１に連動して台兼収納箱１０３から出し入れする構成が複雑である。さらに据え置き型のスクリーンを想定しているため、手軽に持ち運びができず可搬性の面で劣っている。また、非稼動時の装置に対してゴミ及び大気中の埃の付着を防止する対策が施されて無く、さらに、台兼収納箱１０３の設置場所に多大なスペースを有している。
【０００８】
また、特許文献２に記載のリアプロジェクタは、光拡散粒子である光学ビーズ１４２をスクリーン１４０の正面部に設けて利用しているが、正面部に設けた光学ビーズ１４２自体が高価となり装置全体のコストが上がってしまう。また、特許文献１に開示された映像用スクリーン装置と同様に手軽に持ち運ぶことができる可搬性を考慮したものではなかった。
【０００９】
そこで本発明は、投影のためのスクリーンとスピーカシステムを収納し可搬性に優れ、移動時における外部からの衝撃や埃及び水滴等から保護し、且つ切り換え可能ステレオ再生及び大音量出力を実現する音声出力機能付きスクリーン装置を提供することを目的とする。
【課題を解決するための手段】
【００１０】
投影スクリーンの上端部に収納部を配置する第１の設定態様及び前記投影スクリーンの下端部に収納部を配置する第２の設定態様を有する投影スクリーン装置において、  前記収納部に巻回収納可能な投影スクリーン部と、前記収納部の両端部近傍に設置された左右一対の音声出力部と、前記音声出力部の左右チャンネルを切り換える切り換え部と、を具備し、前記切り換え部は、前記第１及び第２の設定態様に対応して制御することを特徴とする音声出力部付き投影スクリーン装置。
【発明の効果】
【００１１】
本発明は、投影のためのスクリーンとスピーカシステムを収納し可搬性に優れ、移動時における外部からの衝撃や埃及び水滴等から保護し、且つステレオ再生及び大音量再生を実現する音声再生機能付きスクリーン装置を提供することができる。
【発明を実施するための最良の形態】
【００１２】
以下、図面を参照して本発明に係る実施形態について詳細に説明する。  
図１、図２及び図３を参照して第１の実施形態について詳細に説明をする。図１（ａ）は、本発明に係る第１の実施形態における音声出力機能（スピーカ）付きスクリーン装置（以下、スクリーン装置と称する）をフック７を用いて壁に掛けた際の概略的な正面図である。図１（ｂ）は、第１の実施形態におけるスクリーン装置内に巻回されるスクリーンを引き出し、支柱で支えている際の概略的な正面図である。図１（ｃ）は、スクリーンを収納した際の状態の図である。図１（ｄ）は、図１（ａ）における側面図である。図１（ｅ）は、図１（ｂ）における側面図である。
【００１３】
本実施形態に係るスクリーン装置は、スクリーン２を巻回して収納する筒状の収納部１、収納部１を持ち運ぶ際に利用するベルト部３、収納部１をカバーするカバー部４及び音声出力のためのスピーカ部５ａ，５ｂで構成されている。また図１（ｂ）に示すように机や床等の上に設置した際、収納部１からスクリーン２を引き出すためにスクリーン背面に設けた支柱部６で支えている。支柱部６は、図１（ｃ）に示すように中央に関節を設けた２本のアームにより伸縮自在に構成される。
【００１４】
次に図２（ａ）は、カバー部４を開放したスクリーン２を上部に引き出した状態を示す図である。図２（ｂ）は、カバー部４を閉じて持ち運びする状態を示す図である。図２（ｃ）は、カバー部４の収納部に対向する面を示した図である。図３（ａ）は、図２（ａ）の状態の側面断面図である。図３（ｂ）は、スクリーン２を収納部１に収納してカバー部４が閉じた際の状態の側面図である。
【００１５】
本構成において、収納部１は、カバー部４を開けると、左右に配置されるスピーカ部５ａ，５ｂが露呈される。これらのスピーカ部５ａ，５ｂから出力されるステレオ音声のステレオ（Ｌ，Ｒ）チャンネル等を切り換えるための切り換えスイッチ部８、音声入力用コネクタ部１２が露出する。この切り換えスイッチ部８は、使用形態つまり、引き出されたスクリーン２が吊られて下方に垂れ下がる形態か（図１（ａ））、装置本体からスクリーン２が上方に引き出されて支柱部６で支持される形態（図１（ｂ））になるかにより、ステレオ音声のＬ，Ｒチャンネルが入れ替わるため、使用形態にあった音声位置となるように切り換えるものである。また、図２（ｃ）に示すようにカバー部４を閉じることにより、移動時にぶつけて収納部１及びスピーカ部５ａ，５ｂに加わる衝撃を防ぐ。さらに、カバー部４が閉じている状態でスクリーン２のスリット部１５、スイッチ部８及びコネクタ内にゴミ、埃及び水滴が侵入しないように、例えばカバー部４の内面側の全外周にＯリング（ゴム部材）からなるシール部材１３が嵌め込まれ、カバー部４が収納部１に密着するように構成されている。また、収納部１に巻回されて収納されるスクリーン２は、支柱部６を伸長させると共にスピーカ部５ａ及び５ｂ間に設けられたスリット部１５から引っ張り出される。尚、このスクリーン２は、巻回する方向に回転するようにバネ等で付勢されており、収納時にはフック７から外した時等、係止状態を止めれば、自動的に巻き取れられる。また、スクリーンが巻き戻らないように、引き出された状態を維持させるストッパを設けてもよい。
【００１６】
次に図１乃至図５を参照して、第１の実施形態に係るスクリーン装置における使用方法について詳細に説明する。  
図４は、スクリーン２を収納部１に収納しベルト部３を肩にかけて持ち運んでいる状態を示す図である。図５（ａ）及び図５（ｂ）は、実際にスクリーンに画像を投影して使用する状態を示す状態図である。図４に示すように、本実施形態は、図１（ｃ）に示したように収納することができ、スクリーン２とスピーカ部５ａ及び５ｂが同一構成なためにどこへでも手軽に持ち運ぶことができる。
【００１７】
実際に使用する場合には、図５（ａ）に示したように、スクリーン２を引き出し、ベルト部３を壁のフック７に掛け、プロジェクタ１１が例えばノートパソコン１０に接続される。
【００１８】
ユーザー１１０の操作により、ノートパソコン１０に内蔵する画像データがプロジェクタ１１に送信される。プロジェクタ１１は、画像データを映像化してスクリーン２に画像を投影する。図５（ａ）は、スクリーンの下に適当な置き場がない場合であり、壁掛けベルト部３を利用して窓の上方の壁のフック７に掛けて使用している例を示している。このような使い方をすることで、専用の場所が無くても、窓上方などのスペースが有効利用でき、大画像投影による鑑賞が可能となる。  
また、音声は無線通信又は光通信により送受する構成でもよく、勿論、ケーブル接続による有線通信でもよい。
【００１９】
また、会議等でプレゼンテーションに用いる例では、図５（ｂ）に示すように、机上に配置したスクリーン装置からスクリーン２を引き出した状態でセットし、同じく机上に載置したプロジェクタ１１からユーザー１１０の操作により、ノートパソコン１０から画像信号がプロジェクタ１１に送信されプロジェクタからスクリーン２上に拡大投影する。これによりプレゼンテーションを聞いている人１２０は、プレゼンテーションを受ける。
【００２０】
また、投影する画像データに音声データが付与されているデータであった場合には、画像データの送信と共に音声データをスクリーン装置に送信して、画像を表示させると共にスピーカ部５ａ，５ｂから音声を再生出力させることができる。マイク機能を有するプロジェクタであれば、画像を投影しつつ、マイク音声により解説等を加えることも可能である。
【００２１】
次に図６及び図７を参照してスピーカ部５ａ，５ｂからの音声出力の切り換え方法について詳細に説明をする。図６（ａ）及び図６（ｂ）は、スピーカ部５における回路図である。図７は、切り換えスイッチ部８の具体的な構成例を示す図である。
【００２２】
スピーカ部５ａ及び５ｂは、切り換えスイッチ部８の切り換え操作によりスイッチ切片８ａ，８ｂがストレイトに接続され、ステレオ（Ｌ−Ｒ）音声の切り換えが行われる。つまり、図６（ａ）に示す切り換え状態では、スピーカ部５ａからはＲ音声、スピーカ部５ｂからはＬ音声が出力される。他方、図６（ｂ）に示す切り換え状態では、スイッチ切片８ａ及び８ｂが交差するように接続しているために、スピーカ部５ａからはＬ音声、スピーカ部５ｂからはＲ音声が出力される。
【００２３】
図７は、切り換えスイッチ部８の具体的な構成を示し、導電性を有する金属切片からなるスイッチ切片８ａ，８ｂを電極９ａ，９ｂ，９ｃ及び９ｄに接触させて９ｃ及び９ｂと９ｃ及び９ｄを導通させている。この状態からスイッチ切片の台座８ｃを矢印方向にスライドさせると、スイッチ切片８ａは、電極９ａ、スイッチ切片８ｂは、電極９ｃと接続する。この移動により、図６（ｂ）に示すように交差する結線状態となる。この切り換えスイッチ部８の切り換え操作により、スピーカ部５ａ及び５ｂから出力される音声の左右（Ｌ音声とＲ音声）を入れ替えて出力することができる。
【００２４】
以上説明した第１の実施形態では、持ち歩く際には、スクリーン２を収納部１に収納させると共に、密閉性が高いカバー部４により収納部１を覆われた状態となる。これによりスクリーン装置内への水滴及び大気中の埃等の侵入を防止できる。また、カバー部４で覆うことにより、携帯時に他のものとの衝突や落下による衝撃を緩和して、破損を防止することができる。さらにスクリーン装置は、スクリーン２正面側から音声を出力するようにスクリーン２とスピーカ部５ａ，５ｂを一体構造にすることで、スクリーン正面側から音声が出力され、迫力ある音声を聴きながら画像を鑑賞することができる。
【００２５】
また、肩掛けにも利用するベルト部３を用いて壁掛けを行うことにより、フロア上や机上等にスクリーン装置の設置場所が無くとも使用することができる。さらに、スクリーンとスピーカ部が一体的に構成されているため、スクリーンを収納してカバー部で覆うだけで、容易に可搬（例えば、肩に掛けて携帯）することができ、スピーカ部４とスクリーン２を別々に持ち歩く必要がない。これにより、ユーザーは、天気や運搬状態に左右されずに、持ち運ぶことができ、装置の利用率を上げることができる。スクリーン装置（及びプロジェクタ）の利用率があがればコストパフォーマンスが向上し、顧客の満足度も向上させることができる。
【００２６】
次に図８及び図９を参照して本発明に係る第２の実施形態について詳細に説明を行う。
図８（ａ）は、切り換えスイッチを概念的な構成例を示す図、図８（ｂ）は、切り換えスイッチの回路を示す図である。図９は、スクリーン装置に搭載される状態の切り換えスイッチの概念的な外観構成を示す図である。  
前述した第１の実施形態では装置正面にスライドタイプの切り換えスイッチ８を設けた構成であったが、本実施形態では、図１（ｅ）に示すようにスクリーン２を上方に引き出して支持部６で支持する形態で使用する場合、カバー部４が収納部１の後方に倒れる形態となる。そこで、カバー部４の回動位置の変化を利用する切り換えスイッチ２１を設けている。
【００２７】
この切り換えスイッチ２１は、スイッチ切片２２ａ，２２ｂをカバー部４に取り付けて、収納部１の側壁面にスイッチ切片２２ａといずれか片方が接触するパターン２６ａ，２６ｂと、スイッチ切片２２ｂと常時接続するパターン２６ｃとを形成する。この構成における切り換えスイッチ２１は、図８（ｂ）に示す回路構成となる。
【００２８】
このように構成された切り換えスイッチ２１によれば、図１（ｅ）に示すよう状態では、閉位置（携帯時）から図８（ａ）に示した位置Ａに、カバー部４が回動して開けられる。このカバー部４の回動に連動して台座２３が回転し、スイッチ切片２２ａは、パターン２６ａからパターン２６ｂの位置Ｂへ移動してパターンが切り替わる。この時、パターン２６ｃは長く、スイッチ切片２２ｂが位置Ａから位置Ｂに移動しても接触状態が維持される。
【００２９】
これにより図６（ａ）に示した右側音声のスピーカ部５ａ，５ｂは、出力する音声が左右入れ替えることができる。  
従って、本実施形態によれば、図２（ａ）に示したように手動切り換えのスイッチ部８に換わって、カバー部４の回動を利用することで、スイッチ切り換えが行われてスクリーン使用法に従った正しい位置のステレオ音声を得ることができる。
【００３０】
尚、本実施形態は、限定されるものではなく、他にも要旨を逸脱しない範囲で構成要素を変形して実施することができる。また、本実施形態で開示した複数の構成要素を適宜組み合せて、種々の発明を形成することができる。例えば、実施形態に示される全構成要素から幾つかの構成要素を削除してもよい。更に、異なる実施形態に亘る構成要素を適宜組み合せてもよい。
【００３１】
本実施形態では図８（ａ）に示したように、スイッチ切片が露出した状態で設けられていたが、実際には、携帯時にぶつけて破損させたりするため、内部に配置する。例えば、図９に示すように、切り換えスイッチ２１は、スイッチ切片２２ａ，２２ｂを支持する台座２３と、一端がカバー部４を回動軸２４に連結し、他端が台座２３と連結する軸部２５と、スイッチ切片２２ａといずれか片方が接触するパターン２６ａ，２６ｂと、スイッチ切片２２ｂと常時接続するパターン２６ｃとで構成する。  
また、このような回動式切り換えスイッチ以外にも、カバー部４の開閉角度による押し込み方法により図７に示すようなスライドスイッチであるスイッチ部８を用いた切り換え機構にしてもよい。さらに、例えば光センサ及び磁気センサ等のセンサをカバー部４の移動経路上に設置することで、カバー部４の位置を検出して、電子的に切り換えを行う図１０に示すようなアナログスイッチであってもよい。
【００３２】
次に図１１（ａ）〜（ｅ）を参照して、本発明に係る第３の実施形態について詳細に説明をする。  
図１１（ａ）は、本発明に係る第３の実施形態における別構成であるスクリーンとスピーカ部を組み立てる際の構成図である。図１１（ｂ）は、第３の実施形態における机等に設置された際の概略的な正面図である。図１１（ｃ）は、第３の実施形態における壁に掛けられた際の概略的な正面図である。図１１（ｄ）は、第３の実施形態におけるスピーカ部の内部構成を示す図である。図１１（ｅ）は、第３の実施形態における持ち運ぶ際の状態を示す図である。尚、本実施形態において構成部位は、前述した第１の実施形態と同等の部位には同じ参照符号を付してその詳細な説明は省略する。
【００３３】
本実施形態において、一対のスピーカ部５ａ及び５ｂは対向する側面に、嵌合できる円柱状の凸部３１と、円柱状の凹部３２とが形成されている。円柱状の凸部３１は、スピーカ部５ａ側面の高さの半分程度の高さを有し、下方の径が狭まるような円錐形状を成している。凹部３２は凸部３１の円錐形状を受けるように形成され、嵌め込まれた際にスピーカ部５ｂが下に抜け落ちないように工夫されている。また、凸部３１の上方には、円柱状の嵌め込み部３４が設けられ、凹部３２の上方には、凹部３２の径より広い同様な円柱状の嵌め込み部３３が設けられている。
【００３４】
これらの嵌め込み部３３，３４は、スクリーン２の両側に設けられた柱部２ａ及び２ｃが差し込まれる。さらに、スクリーン２を広げた状態で支持する支持部材２ｃをはめ込む嵌め込み部３５ａ，３５ｂがそれぞれに設けられている。またスピーカ部５ａには外部音声入力部であるジャック１２が設けられている。また、持ち運び時及び壁等に吊り下げる際に使用するベルト部３がスピーカ部５ａ及び５ｂに設けられている。
【００３５】
使用時には、スクリーン２を広げ、嵌め込み部３３，３４に両側の柱部２ａ及び２ｂを差し込み、支持部材２ｃを嵌め込み固定する。支持部材２ｃの両端には、後述する音声信号を伝搬するために、通電している電極２ｄがそれぞれ設けられている。
【００３６】
スクリーン２を使用する際は、図１１（ｂ）に示すように床及び机上に立てかけ、または図１１（ｃ）に示すようにベルト部３を使用して壁等に設けられたフック７に引っ掛けて使用することができる。
【００３７】
図１１（ｄ）は、スピーカ部の内部構成を示している。  
このスピーカ部５ａの正面には、音声信号等を外部から入力するためのジャック部１２と、スピーカ４０とが設けられている。スピーカ部５ａの内部には、スライドスイッチ１４とおもり４１とからなる切り換え機構を備えている。この切り換え機構は、スライドスイッチ１４の可動切片におもり４１が取り付けられている。スライドスイッチ４１をスピーカ部５ａ内で上下方向におもり４１が摺動するように取り付けられている。これにより、スクリーン２の配置によりスピーカ部５ａ，５ｂの上下方向が変わり、この方向に合わせてスライドスイッチ９が重り４１によって摺動され切り換えられる。
【００３８】
スピーカ部５ａ，５ｂの嵌め込み部３５ａ，３５ｂには、支持部材２ｃの装着時に電極２ｄと接触して電気的に接続する図示しない電極が設けられている。これらの電極は、支持部材２ｃが装着された際に、電極２ｄを通じてスピーカ部５ａからスピーカ部５ｂへ音声信号を伝搬するために設けられている。
【００３９】
ジャック部１２から入力された音声信号（ステレオ音声信号）は、例えば、Ｌチャンネルの音声信号がリード線４２を通過しスライドスイッチ１４を経てリード線４４によりスピーカ４０に伝搬される。またＲチャンネルの音声信号は、リード線４２を通過しスライドスイッチ１４で分岐され、リード線４４を経由して図示しない電極に伝搬される。この電極に送信されたＲチャンネルの音声信号は、装着されている支持部材２ｃの電極部２ｄを経由してスピーカ部５ｂに伝搬されて出力される。スライドスイッチ１４が切り換えられると、音声信号のＬチャンネルとＲチャンネルとが入れ替えられて出力される。
【００４０】
スクリーン２を使用する際は、図１１（ｂ）に示すように床及び机上に立てかけ、または図１１（ｃ）に示すようにベルト部３を使用して壁等に設けられたフック７に引っ掛けて使用することができる。これらのように、スクリーン２が上方又は下方を向くことで、スピーカ部５ａ，５ｂの上下方向が入れ替わり、おもり４１によりスライドスイッチ１４が切り換えられ、音声信号のＬチャンネルとＲチャンネルが入れ替わる。
【００４１】
また可搬時（携帯時）には図１１（ｅ）に示すように、スピーカ部５ａ，５ｂの凸部３１と凹部３２を嵌合してスピーカ部５ａ，５ｂを１つに一体的にして、さらに巻回したスクリーン２と支持部２ｃをスピーカ部５ａ，５ｂと一体的に纏めてベルト部３で肩掛し、簡易に持ち運ぶことが可能となる。
【００４２】
本実施形態では、スクリーン２とスピーカ部５が別構成であっても可搬性を活かしつつ、一対のスピーカからステレオ音声を出力するプロジェクタ用スクリーンを提供することができる。
【図面の簡単な説明】
【００４３】
【図１】図１（ａ）は、本発明に係る第１の実施形態におけるスピーカ付きスクリーン装置を壁に掛けた際の概略的な正面図である。図１（ｂ）は、第１の実施形態におけるスピーカ付きスクリーン装置のスクリーンを引き出し、支柱で支えている際の概略的な正面図である。図１（ｃ）は、スクリーンを収納した際の状態の図である。図１（ｄ）は、図１（ａ）における側面図である。図１（ｅ）は、図１（ｂ）における側面図である。
【図２】図２（ａ）は、カバー部４を開放したスクリーン２を上部に引き出した状態を示す図である。図２（ｂ）は、カバー部４を閉ざした持ち運びの際の状態である。図２（ｃ）は、カバー部４の収納部に対向する面を示した図である。
【図３】図３（ａ）は、図２（ａ）の状態の側面断面図である。図３（ｂ）は、スクリーン２を収納部１に収納してカバー部４が閉じた際の状態の側面図である。
【図４】スクリーン２を収納部１に収納しベルト部３を肩にかけて持ち運んでいる際の状態図である。
【図５】図５（ａ）及び図５（ｂ）は、実際にスクリーンに画像投影して使用する際の状態を示す状態図である。
【図６】図６（ａ）及び図６（ｂ）は、スピーカ部５における回路図である。
【図７】半導体のアナログ化スイッチで構成した際のロジック回路図である。
【図８】本発明の第２の実施形態に係るスピーカ付きスクリーン装置のメカニカルスイッチによる切り換え機構を示した図である。
【図９】第２の実施形態における収納部の内側の状態を示す図である。
【図１０】第２の実施形態におけるアナログスイッチによる切り換え機構を示す図である。
【図１１】図１１（ａ）は、本発明に係る第３の実施形態における別構成であるスクリーンとスピーカ部を組み立てる際の構成図である。図１１（ｂ）は、第３の実施形態における机等に設置された際の概略的な正面図である。図１１（ｃ）は、第３の実施形態における壁に掛けられた際の概略的な正面図である。図１１（ｄ）は、第３の実施形態におけるスピーカ部の内部構成を示す図である。図１１（ｅ）は、第３の実施形態における持ち運ぶ際の状態を示す図である。
【図１２】従来のスクリーン装置の構成を示す図である。
【図１３】従来のスクリーン装置の構成を示す図である。
【符号の説明】
【００４４】
１：収納部、２：スクリーン、３：ベルト部、４：カバー部、５ａ，５ｂ：スピーカ部、６：支柱部、７：フック、８：スイッチ部、８ａ，８ａ―１、８ｂ：スイッチ切片、９：切り換えスイッチ部、９ａ，９ｂ，９ｃ，９ｄ：電極、１０：ノートパソコン、１１：プロジェクタ、１２：音声入力用コネクタ部、１３：防具部材、１４：スライドスイッチ、１５：スリット部、１１０：ユーザー、２０，２１：軸、４０：スピーカ部、４１：重り、４２，４３，４４：リード線。
【図１】
2006135527.tif 000003
【図２】
2006135527.tif 000004
【図３】
2006135527.tif 000005
【図４】
2006135527.tif 000006
【図５】
2006135527.tif 000007
【図６】
2006135527.tif 000008
【図７】
2006135527.tif 000009
【図８】
2006135527.tif 000010
【図９】
2006135527.tif 000011
【図１０】
2006135527.tif 000012
【図１１】
2006135527.tif 000013
【図１２】
2006135527.tif 000014
【図１３】
2006135527.tif 000015